【手続補正書】
【提出日】平成26年12月15日(2014.12.15)
【手続補正１】
【補正対象書類名】明細書
【補正対象項目名】発明の名称
【補正方法】変更
【補正の内容】
【発明の名称】イオン強度を調整するための切替可能水組成物および方法
【手続補正２】
【補正対象書類名】特許請求の範囲
【補正対象項目名】全文
【補正方法】変更
【補正の内容】
【特許請求の範囲】
【請求項１】
イオン強度を調整するための切替可能水組成物であって、
水と、第一の形態と第二の形態との間で切り替え可能な添加剤とを含み、前記第一の形態から前記第二の形態への前記添加剤の切り替えにより前記切替可能水組成物のイオン強度が上昇するように、前記添加剤の前記第二の形態は、前記添加剤の前記第一の形態で中性である少なくとも１つのイオン化官能基を含み；
前記添加剤の少なくとも１つの官能基をイオン化するように前記切替可能水組成物をイオン化トリガーと接触させることによって前記切替可能水組成物のイオン強度が上昇し、前記イオン化トリガーを前記切替可能水組成物から除去することによって前記切替可能水組成物のイオン強度が下降し；
前記添加剤がポリマーである、切替可能水組成物。
【請求項２】
系において半透膜を隔てた浸透圧勾配を調節するための切替可能水組成物であって、
半透膜を含み；
前記半透膜の片側に位置する前記切替可能水組成物は、
前記半透膜の他方で注入流と前記半透膜を接触させるための手段と；
前記イオン化トリガーの前記切替可能水組成物への添加および前記切替可能水組成物からの除去によって、前記膜を隔てた浸透圧勾配を調節するための手段と、を含む、
請求項１に記載の切替可能水組成物。
【請求項３】
（ｉ）前記系が塩析システムまたは廃水浄化システムであり、水からの望ましくない溶質または粒子の除去における使用のための；または
（ｉｉ）廃水であってもよい希釈水溶液を濃縮する際に使用するための；
請求項２に記載の切替可能水組成物。
【請求項４】
前記イオン化トリガーによりイオン化される前記少なくとも１つの官能基を中性化し、それにより前記第二の形態から前記第一の形態に前記添加剤を切り替えるために、前記イオン化トリガーを非イオン化トリガーと前記切替可能水組成物から除去することが可能であり；前記非イオン化トリガーが、（ｉ）熱、（ｉｉ）フラッシングガス、（ｉｉｉ）真空もしくは不完全真空、（ｉｖ）撹拌、（ｖ）強塩基、または（ｖｉ）それらの何らかの組み合わせである、
請求項１または２に記載の切替可能水組成物。
【請求項５】
前記ポリマーが、前記イオン化トリガーの存在下にある場合にプロトン化されるのに十分に塩基性である少なくとも１つの窒素含有官能基を有し、６から１４または８から１０の範囲のｐＫａを有する共役酸を有する、請求項１から４のいずれか１項に記載の切替可能水組成物。
【請求項６】
前記イオン化トリガーが、ブレンステッド酸である；または、
水中で溶解される場合に水と反応して水素イオンを遊離させる気体である、
請求項５に記載の切替可能水組成物。
【請求項７】
前記イオン化トリガーが、ＣＯ２である、請求項６に記載の切替可能水組成物。
【請求項８】
前記ポリマーが、前記第一の形態であるときに水中で不溶性であり；または前記第一の形態であるときに水中で少なくとも部分的に水溶性である、請求項１から７のいずれか１項に記載の切替可能水組成物。
【請求項９】
前記ポリマーが、
生体ポリマーまたはその誘導体；
分岐状または直鎖状官能化ポリエチレンイミン；
官能化ポリメチルメタクリラート（「ＰＭＭＡ」）に基づくポリマー；
官能化ポリアクリル酸（「ＰＡＡ」）ポリマー；
アミン含有ポリアクリル酸塩；
官能化ポリ（メチルメタクリラート−コ−スチレン）（「ＰＭＭＡ／ＰＳ」）；
アミン含有モノマーから合成されるポリマー；
またはそれらの何らかの組み合わせである、
請求項１から８のいずれか１項に記載の切替可能水組成物。
【請求項１０】
系で使用するための切替可能水組成物であって、
前記切替可能水組成物中で水から前記添加剤を分離するための手段を含み；
水から前記添加剤を分離するための手段が、逆浸透系を含み；
前記切替可能添加剤の第一の形態が水中で非混和性であり、前記系が、前記水から前記添加剤の第一の形態をデカントするための手段をさらに含み；または
前記切替可能添加剤の第一の形態が水中で不溶性であり、前記系が、前記添加剤の不溶性の第一の形態を除去するための手段をさらに含む；
請求項１に記載の切替可能水組成物。
【請求項１１】
水溶液のイオン強度を調整するための方法であって、
（ａ）添加剤の少なくとも１つの官能基をイオン化し、それによって切替可能水組成物のイオン強度を上昇させるために、水および第一の形態と第二の形態との間で切り替え可能な前記添加剤を含む切替可能水組成物（前記添加剤の前記第二の形態は、前記第一の形態から前記第二の形態に前記添加剤を切り替えることによって、前記切替可能水組成物のイオン強度を上昇させるように、前記添加剤の前記第一の形態において中性である少なくとも１つのイオン化官能基を含む）をイオン化トリガーと接触させることを含み、
前記添加剤がポリマーである、方法。
【請求項１２】
水溶液から溶質を除去するかまたは希釈水溶液を濃縮するための方法であって、
（ｂ）水に対して選択的に透過可能であり、片側において水および切替可能水組成物であるドロー溶液を有する半透膜を提供し、切替可能水組成物の前記半透膜との会合前または後に前記添加剤を前記第二の形態に切り替え、それにより前記ドロー溶液の浸透圧を上昇させるために、前記切替可能水組成物を前記イオン化トリガーと接触させる工程；および
（ｃ）前記半透膜を通してイオン強度が高いドロー溶液に前記水溶液から水を流入させることができるようにするために、前記水溶液の注入流と前記半透膜を接触させる工程を含む；
請求項１１に記載の方法。
【請求項１３】
前記溶質が塩であり、前記注入流が水性塩溶液である、請求項１２に記載の方法。
【請求項１４】
さらに、（ｄ）得られる希釈ドロー溶液から前記添加剤を除去する工程を含み、工程（ｄ）が、
前記添加剤をその第一の形態に切り替えるために、前記希釈ドロー溶液を非イオン化トリガーと接触させること；
逆浸透；
前記切替可能添加剤の第一の形態が水中で非混和性であり、工程（ｄ）が、前記水から前記添加剤の第一の形態をデカントすること；または
前記切替可能添加剤の第一の形態が水中で不溶性であり、工程（ｄ）が、前記水から前記添加剤の不溶性の第一の形態を除去すること、を含む、
請求項１２に記載の方法。
【請求項１５】
前記ポリマーが、前記イオン化トリガーの存在下にある場合にプロトン化されるのに十分に塩基性である少なくとも１つの窒素含有官能基を有し；６から１４または８から１０の範囲のｐＫａを有する共役酸を有する、請求項１１から１４のいずれか１項に記載の方法。
【請求項１６】
前記イオン化トリガーが、ブレンステッド酸である；または、
水中で溶解される場合に水と反応して水素イオンを遊離させる気体である、
請求項１５に記載の方法。
【請求項１７】
前記イオン化トリガーが、ＣＯ２である、請求項１６に記載の方法。
【請求項１８】
前記ポリマーが、
生体ポリマーまたはその誘導体；
分岐状または直鎖状官能化ポリエチレンイミン；
官能化ポリメチルメタクリラート（「ＰＭＭＡ」）に基づくポリマー；
官能化ポリアクリル酸（「ＰＡＡ」）ポリマー；
アミン含有ポリアクリル酸塩；
官能化ポリ（メチルメタクリラート−コ−スチレン）（「ＰＭＭＡ／ＰＳ」）；
アミン含有モノマーから合成されるポリマー；
またはそれらの何らかの組み合わせである、
請求項１１から１７のいずれか１項に記載の方法。
【請求項１９】
前記ポリマーが、前記第一の形態であるときに水中で不溶性であり；または前記第一の形態であるときに水中で少なくとも部分的に水溶性である、請求項１１から１８のいずれか１項に記載の方法。
【請求項２０】
前記イオン化トリガーによりイオン化される前記少なくとも１つの官能基を中性化し、それにより前記第二の形態から前記第一の形態に前記添加剤を切り替えるために、非イオン化トリガーと前記切替可能水組成物を接触させる工程を含み；前記非イオン化トリガーが、（ｉ）熱、（ｉｉ）フラッシングガス、（ｉｉｉ）真空もしくは不完全真空、（ｉｖ）撹拌、（ｖ）強塩基、または（ｖｉ）それらの何らかの組み合わせである、
請求項１１から１９のいずれか１項に記載の方法。
【請求項２１】
切替可能水組成物であって、
水と、第一の形態と第二の形態との間で切り替え可能な添加剤とを含み、前記第一の形態から前記第二の形態への前記添加剤の切り替えにより前記切替可能水組成物のイオン強度が上昇するように、前記添加剤の前記第二の形態は、前記添加剤の前記第一の形態で中性である少なくとも１つのイオン化官能基を含み；
前記添加剤の少なくとも１つの官能基をイオン化するように前記切替可能水組成物をイオン化トリガーと接触させることによって前記切替可能水組成物のイオン強度が上昇し、前記イオン化トリガーを前記切替可能水組成物から除去することによって前記切替可能水組成物のイオン強度が下降し；
前記切替可能水組成物は
（ｉ）系において懸濁液を不安定化させることであって、前記系は、
切替可能水組成物と；
水または水溶液および水中で実質的に不溶性である１以上の固体粒子の混合物と；
前記切替可能水組成物に前記イオン化トリガーを加えることにより前記１以上の固体粒子の懸濁液の形成を停止させるまたは前記１以上の固体粒子の懸濁液を不安定化させるための手段と、を含み；または
（ｉｉ）切替可能水組成物の粘度を調整することであって、
前記切替可能水組成物は、前記添加剤が第一の形態であるときに第一の粘度を有し、前記添加剤が第二の形態であるときに第二の粘度を有し；
前記切替可能水組成物の第一の粘度が、前記添加剤の第一の形態の非存在下で前記水または水溶液の粘度とは異なる；
切替可能水組成物。
【請求項２２】
前記添加剤が、前記イオン化トリガーの存在下にある場合にプロトン化されるのに十分に塩基性である少なくとも１つの窒素含有官能基を有するポリマーであり；６から１４または８から１０の範囲のｐＫａを有する共役酸を有する、請求項２１に記載の切替可能水組成物。
【請求項２３】
前記ポリマーが、
生体ポリマーまたはその誘導体；
分岐状または直鎖状官能化ポリエチレンイミン；
官能化ポリメチルメタクリラート（「ＰＭＭＡ」）に基づくポリマー；
官能化ポリアクリル酸（「ＰＡＡ」）ポリマー；
アミン含有ポリアクリル酸塩；
官能化ポリ（メチルメタクリラート−コ−スチレン）（「ＰＭＭＡ／ＰＳ」）；
アミン含有モノマーから合成されるポリマー；
またはそれらの何らかの組み合わせである、
請求項２２記載の切替可能水組成物。
【請求項２４】
前記添加剤が、式（１）の化合物：
【化１】
2014501168.tif 000001
（式中、
Ｒ１、Ｒ２およびＲ３は、独立に、
Ｈ；
直鎖状、分岐状または環状である、置換または未置換Ｃ１からＣ８脂肪族基（アルキル基の１以上のＣが、｛−Ｓｉ（Ｒ１０）２−Ｏ−｝により置換され、最大で８個のＣが８個の｛−Ｓｉ（Ｒ１０）２−Ｏ−｝により置換されている）；
置換または未置換ＣｎＳｉｍ基（式中、ｎおよびｍは独立に０から８の数字であり、ｎ＋ｍは１から８の数字である）；
置換または未置換Ｃ４からＣ８アリール基（アリールはヘテロアリールであり、１以上のＣが、｛−Ｓｉ（Ｒ１０）２−Ｏ−｝により置換されている）；
１以上の｛−Ｓｉ（Ｒ１０）２−Ｏ−｝を含む、４個から８個の環原子を有する置換または未置換アリール基（アリールはヘテロアリールである）；
−（Ｓｉ（Ｒ１０）２−Ｏ）ｐ−鎖（式中、ｐは１から８であり、Ｈで終結しているか、または置換もしくは未置換Ｃ１からＣ８脂肪族および／またはアリール基により終結する）；
または置換もしくは未置換の（Ｃ１からＣ８脂肪族）−（Ｃ４からＣ８アリール）基（アリールは、ヘテロアリールであり、１以上のＣが｛−Ｓｉ（Ｒ１０）２−Ｏ−｝により置換されている）であり；
Ｒ１０は、置換もしくは未置換Ｃ１からＣ８脂肪族基、置換もしくは未置換Ｃ１からＣ８アルコキシ、置換もしくは未置換Ｃ４からＣ８アリール（アリールはヘテロアリールである）、置換もしくは未置換脂肪族−アルコキシ、置換もしくは未置換脂肪族−アリールまたは置換もしくは未置換アルコキシ−アリール基であり；
結合した窒素と共に得られたＲ１、Ｒ２およびＲ３のいずれか２つは、複素環の形へ結合されることができ；および
置換基は、独立に：アルキル；アルケニル；アルキニル；アリール；アリール−ハロゲン化物；ヘテロアリール；シクロアルキル；Ｓｉ（アルキル）３；Ｓｉ（アルコキシ）３；ハロ；アルコキシル；アミノ；アルキルアミノ；アルケニルアミノ；アミド；アミジン；ヒドロキシル；チオエーテル；アルキルカルボニル；アルキルカルボニルオキシ；アリールカルボニルオキシ；アルコキシカルボニルオキシ；アリールオキシカルボニルオキシ；カーボネート；アルコキシカルボニル；アミノカルボニル；アルキルチオカルボニル；アミジン、ホスフェート；ホスフェートエステル；ホスホナート；ホスフィナート；シアノ；アシルアミノ；イミノ；スルフィドリル；アルキルチオ；アリールチオ；チオカルボキシラート；ジチオカルボキシラート；サルフェート；サルファート；スルホネート；スルファモイル；スルホンアミド；ニトロ；ニトリル；アジド；ヘテロシクリル；エーテル；エステル；ケイ素含有部分；チオエステル；またはそれらの組み合わせであり；置換基はさらに置換され得る）である、請求項２１記載の切替可能水組成物。
【請求項２５】
前記添加剤が、
ＭＤＥＡ（Ｎ−メチルジエタノール−アミン）；
ＴＭＤＡＢ（Ｎ，Ｎ，Ｎ’，Ｎ’−テトラメチル−１，４−ジアミノブタン）；
ＴＥＤＡＢ（Ｎ，Ｎ，Ｎ’，Ｎ’−テトラエチル−１，４−ジアミノブタン）
ＥＰＤＡＢ（Ｎ，Ｎ’−ジエチル−Ｎ，Ｎ’−ジプロピル−１，４−ジアミノブタン）
ＴＨＥＥＤ（Ｎ，Ｎ，Ｎ’，Ｎ’−テトラキス（２−ヒドロキシエチル）エチレンジアミン）；
ＤＭＡＰＡＰ（１−［ビス［３−（ジメチルアミノ）］プロピル］アミノ］−２−プロパノール）；
ＨＭＴＥＴＡ（１，１，４，７，１０，１０−ヘキサメチルトリエチレンテトラアミン）；
ＭｅＳｐｅ（Ｎ１，Ｎ１’−（ブタン−１，４−ジイル）ビス（Ｎ１，Ｎ３，Ｎ３−トリメチルプロパン−１，３−ジアミン）；
ＣＨＴＤＭＡ（１，１’，１’’−（シクロヘキサン−１，３，５−トリイル）トリス（Ｎ，Ｎ−ジメチルメタンアミン）； 
ＤＭＣＡ（Ｎ，Ｎ−ジメチルシクロへキシルアミン）；または
ポリアミンである、請求項２４に記載の切替可能水組成物。
【請求項２６】
前記イオン化トリガーが、ブレンステッド酸である；または、
水中で溶解される場合に水と反応して水素イオンを遊離させる気体である、
請求項２１から２５のいずれか１項に記載の切替可能水組成物。
【請求項２７】
前記イオン化トリガーが、ＣＯ２である、請求項２６に記載の切替可能水組成物。
【請求項２８】
前記切替可能水組成物が水からの望ましくない固形物の除去における使用のための；または水からの粘土粒子の分離または除去用、である、懸濁液を不安定化するための請求項２１から２７のいずれか１項に記載の切替可能水組成物。
【請求項２９】
前記イオン化トリガーによりイオン化される前記少なくとも１つの官能基を中性化し、それにより前記第二の形態から前記第一の形態に前記添加剤を切り替えるために、非イオン化トリガーと前記切替可能水組成物を接触させ；前記非イオン化トリガーが、（ｉ）熱、（ｉｉ）フラッシングガス、（ｉｉｉ）真空もしくは不完全真空、（ｉｖ）撹拌、（ｖ）強塩基、または（ｖｉ）それらの何らかの組み合わせである、
請求項２１から２８のいずれか１項に記載の切替可能水組成物。
【請求項３０】
水溶液のイオン強度を調整するための方法であって、
前記添加剤の少なくとも１つの官能基をイオン化し、それによって前記切替可能水組成物のイオン強度を上昇させるために、水および第一の形態と第二の形態との間で切り替え可能な添加剤を含む切替可能水組成物（前記添加剤の前記第二の形態は、前記第一の形態から前記第二の形態に前記添加剤を切り替えることによって、前記切替可能水組成物のイオン強度を上昇させるように、前記添加剤の前記第一の形態において中性である少なくとも１つのイオン化官能基を含む）をイオン化トリガーと接触させることを含み、前記方法は、
（ｉ）懸濁液を不安定化するかまたは懸濁液の形成を妨げるための方法であって、
混合物を生成させるために、
水または水溶液、および、水中で実質的に不溶性である１以上の固体粒子を合わせること；
第一の構成成分が前記固体粒子を含み、第二の構成成分が水および前記添加剤のイオン形態を含む２つの構成成分に前記混合物を分離させることを含む；または
（ｉｉ）第一の粘度を有する切替可能水組成物の粘度を調整するための方法であって、
切替可能水組成物の粘度を第二の粘度に変え、
前記切替可能水組成物の第一の粘度が、前記添加剤の第一の形態の非存在下で前記水または水溶液の粘度とは異なる、
方法。
【請求項３１】
界面活性剤も、前記混合物、前記水または水溶液、前記添加剤または前記イオン化トリガーと合わせられる、請求項３０に記載の方法。
【請求項３２】
前記添加剤が、前記イオン化トリガーの存在下にある場合にプロトン化されるのに十分に塩基性である少なくとも１つの窒素含有官能基を有するポリマーであり；６から１４または８から１０の範囲のｐＫａを有する共役酸を有する、請求項３０に記載の方法。
【請求項３３】
前記ポリマーが、
生体ポリマーまたはその誘導体；
分岐状または直鎖状官能化ポリエチレンイミン；
官能化ポリメチルメタクリラート（「ＰＭＭＡ」）に基づくポリマー；
官能化ポリアクリル酸（「ＰＡＡ」）ポリマー；
アミン含有ポリアクリル酸塩；
官能化ポリ（メチルメタクリラート−コ−スチレン）（「ＰＭＭＡ／ＰＳ」）；
アミン含有モノマーから合成されるポリマー；
またはそれらの何らかの組み合わせである、
請求項３２記載の方法。
【請求項３４】
前記添加剤が、式（１）の化合物：
【化１】
2014501168.tif 000002
（式中、
Ｒ１、Ｒ２およびＲ３は、独立に、
Ｈ；
直鎖状、分岐状または環状である、置換または未置換Ｃ１からＣ８脂肪族基（アルキル基の１以上のＣが、｛−Ｓｉ（Ｒ１０）２−Ｏ−｝により置換され、最大で８個のＣが８個の｛−Ｓｉ（Ｒ１０）２−Ｏ−｝により置換されている）；
置換または未置換ＣｎＳｉｍ基（式中、ｎおよびｍは独立に０から８の数字であり、ｎ＋ｍは１から８の数字である）；
置換または未置換Ｃ４からＣ８アリール基（アリールはヘテロアリールであり、１以上のＣが、｛−Ｓｉ（Ｒ１０）２−Ｏ−｝により置換されている）；
１以上の｛−Ｓｉ（Ｒ１０）２−Ｏ−｝を含む、４個から８個の環原子を有する置換または未置換アリール基（アリールはヘテロアリールである）；
−（Ｓｉ（Ｒ１０）２−Ｏ）ｐ−鎖（式中、ｐは１から８であり、Ｈで終結しているか、または置換もしくは未置換Ｃ１からＣ８脂肪族および／またはアリール基により終結する）；
または置換もしくは未置換の（Ｃ１からＣ８脂肪族）−（Ｃ４からＣ８アリール）基（アリールは、ヘテロアリールであり、１以上のＣが｛−Ｓｉ（Ｒ１０）２−Ｏ−｝により置換されている）であり；
Ｒ１０は、置換もしくは未置換Ｃ１からＣ８脂肪族基、置換もしくは未置換Ｃ１からＣ８アルコキシ、置換もしくは未置換Ｃ４からＣ８アリール（アリールはヘテロアリールである）、置換もしくは未置換脂肪族−アルコキシ、置換もしくは未置換脂肪族−アリールまたは置換もしくは未置換アルコキシ−アリール基であり；
結合した窒素と共に得られたＲ１、Ｒ２およびＲ３のいずれか２つは、複素環の形へ結合されることができ；および
置換基は、独立に：アルキル；アルケニル；アルキニル；アリール；アリール−ハロゲン化物；ヘテロアリール；シクロアルキル；Ｓｉ（アルキル）３；Ｓｉ（アルコキシ）３；ハロ；アルコキシル；アミノ；アルキルアミノ；アルケニルアミノ；アミド；アミジン；ヒドロキシル；チオエーテル；アルキルカルボニル；アルキルカルボニルオキシ；アリールカルボニルオキシ；アルコキシカルボニルオキシ；アリールオキシカルボニルオキシ；カーボネート；アルコキシカルボニル；アミノカルボニル；アルキルチオカルボニル；アミジン、ホスフェート；ホスフェートエステル；ホスホナート；ホスフィナート；シアノ；アシルアミノ；イミノ；スルフィドリル；アルキルチオ；アリールチオ；チオカルボキシラート；ジチオカルボキシラート；サルフェート；サルファート；スルホネート；スルファモイル；スルホンアミド；ニトロ；ニトリル；アジド；ヘテロシクリル；エーテル；エステル；ケイ素含有部分；チオエステル；またはそれらの組み合わせであり；置換基はさらに置換され得る）である、請求項３０記載の方法。
【請求項３５】
前記添加剤が、
ＭＤＥＡ（Ｎ−メチルジエタノール−アミン）；
ＴＭＤＡＢ（Ｎ，Ｎ，Ｎ’，Ｎ’−テトラメチル−１，４−ジアミノブタン）；
ＴＥＤＡＢ（Ｎ，Ｎ，Ｎ’，Ｎ’−テトラエチル−１，４−ジアミノブタン）
ＥＰＤＡＢ（Ｎ，Ｎ’−ジエチル−Ｎ，Ｎ’−ジプロピル−１，４−ジアミノブタン）
ＴＨＥＥＤ（Ｎ，Ｎ，Ｎ’，Ｎ’−テトラキス（２−ヒドロキシエチル）エチレンジアミン）；
ＤＭＡＰＡＰ（１−［ビス［３−（ジメチルアミノ）］プロピル］アミノ］−２−プロパノール）；
ＨＭＴＥＴＡ（１，１，４，７，１０，１０−ヘキサメチルトリエチレンテトラアミン）；
ＭｅＳｐｅ（Ｎ１，Ｎ１’−（ブタン−１，４−ジイル）ビス（Ｎ１，Ｎ３，Ｎ３−トリメチルプロパン−１，３−ジアミン）；
ＣＨＴＤＭＡ（１，１’，１’’−（シクロヘキサン−１，３，５−トリイル）トリス（Ｎ，Ｎ−ジメチルメタンアミン）； 
ＤＭＣＡ（Ｎ，Ｎ−ジメチルシクロへキシルアミン）；または
ポリアミンである、請求項３４に記載の方法。
【請求項３６】
前記イオン化トリガーが、ブレンステッド酸である；または、
水中で溶解される場合に水と反応して水素イオンを遊離させる気体である、
請求項３０から３５のいずれか１項に記載の方法。
【請求項３７】
前記イオン化トリガーが、ＣＯ２である、請求項３６に記載の方法。
【請求項３８】
（ｉ）懸濁液を不安定化するかまたは懸濁液の形成を妨げるための方法であって、前記方法は、前記１以上の固体粒子を除去する工程をさらに含み；
前記１以上の固体粒子は粘土粒子であり、または
前記１以上の固体粒子および水または水溶液の前記混合物が廃水または雨水であり；あるいは
（ｉｉ）切替可能水組成物の粘度を調整するための方法であって、前記方法は、
前記イオン化トリガーによりイオン化される前記少なくとも１つの官能基を中性化し、それにより前記第二の形態から前記第一の形態に前記添加剤を切り替え、前記第一の粘度を有する前記切替可能水組成物を再生成させるために、前記第二の粘度を有する前記切替可能水組成物を非イオン化トリガーに供することをさらに含み；
前記非イオン化トリガーが、（ｉ）熱、（ｉｉ）フラッシングガス、（ｉｉｉ）真空もしくは不完全真空、（ｉｖ）撹拌、（ｖ）強塩基、または（ｖｉ）それらの何らかの組み合わせである、
請求項３０から３７のいずれか１項に記載の方法。